(57)【要約】      （修正有）【課題】着用した帽子に適切な照明を提供し、運動時の安全性を確保し、異なるバイザー幅に合わせて適合する長さに調整可能な帽子に掛けるキャップライト装置を提供する。【解決手段】帽子に掛けるキャップライト装置は、帽子のバイザーの後縁箇所に装設し、照明部１１及び照明部の両側にそれぞれ位置しているアーム１２を含み、各アームには少なくとも１つのスロットをそれぞれ設けているランプユニット１と、各アームに構設し、さらにスライド及びクリップ部材２２をそれぞれ含み、各スライドの一側は各アームの前記少なくとも１つのスロット内にスライド可能に取り付け、各クリップ部材は各スライドの他側に枢設し、各クリップ部材は照明部に対応する一端に挟持溝２２１をそれぞれ欠設し、各クリップ部材の各挟持溝は帽子のバイザーの後縁箇所の両側に挟装している複数のアタッチメント２と、を主に備えている。【選択図】図１
0003232868.tif 000002
【実用新案登録請求の範囲】
【請求項１】
帽子のバイザーの後縁箇所に装設している帽子に掛けるキャップライト装置であって、
照明部及び前記照明部の両側にそれぞれ位置しているアームを含み、各アームには少なくとも１つのスロットをそれぞれ設けているランプユニットと、
各アームに設置する複数のアタッチメントであって、各アタッチメントはさらにスライド及びクリップ部材をそれぞれ含み、各スライドの一側は各アームの前記少なくとも１つのスロット内にスライド可能に取り付け、各クリップ部材は各スライドの他側に枢設し、各クリップ部材は照明部に対応している一端に挟持溝をそれぞれ欠設し、且つ各挟持溝の両端はそれぞれ開放式の開口部とし、各開口部は前記挟持溝の溝口部と連通し、各クリップ部材の各挟持溝は前記帽子のバイザーの後縁箇所の両側に挟装しているアタッチメントと、を主に備え、
各スライドが各スロット内でスライドすることで、各クリップ部材の位置をバイザーの幅に適合するように調整し、且つ各クリップ部材を各スライドに対して枢設することで、各クリップ部材の挟持溝方向を各バイザーの弧度に適合するように調整していることを特徴とする帽子に掛けるキャップライト装置。
【請求項２】
各スロットの溝底部にはさらにガイドスロットをそれぞれ凹設し、各スライドの底面は各ガイドスロットに対応するようにレールを凸設し、各スライドは照明部の方向に向けてスライドしてスロット内に収容するように戻り、且つ各レールは各ガイドスロットに位置を揃えてスライドすることで各スライドの収容を制限していることを特徴とする請求項１に記載の帽子に掛けるキャップライト装置。
【請求項３】
各スロットはさらに第一開口部及び第二開口部をそれぞれ含み、各第一開口部及び各第二開口部は全て対応するスロット内に連通し、各第一開口部は各アームの上面及び底面の何れか一面または二面に位置し、各第二開口部は各アームの端面に設けていると共に対応する第一開口部に連通していることを特徴とする請求項１に記載の帽子に掛けるキャップライト装置。
【請求項４】
各スライドは各第一開口部に対応する一側に複数の凹部をさらに設け、且つ各凹部は間隔を空けて設け、各凹部の両端はそれぞれ端面であり、各クリップ部材は各凹部に対応するように同じ数量の複数のリブを凸設し、各リブは各凹部内にスライド可能に設け、且つ各クリップ部材は各スライドに対して枢動すると共に各リブの両端が回転することにより各端面に突き当てられ、これにより各クリップ部材の枢動範囲を制限していることを特徴とする請求項１に記載の帽子に掛けるキャップライト装置。
【請求項５】
各挟持溝の両端にある開口部の内壁面にはさらに少なくとも１つの歯状部材をそれぞれ凸設し、バイザーが各挟持溝に挿入した後に各挟持溝の少なくとも１つの歯状部材が前記バイザーの表面と互いに摩擦するように接触し、且つ、各挟持溝内の少なくとも１つの歯状部材がバイザーの脱離を制限していることを特徴とする請求項１に記載の帽子に掛けるキャップライト装置。
【請求項６】
前記照明部内には収容室をさらに有し、収容室に内設している発光モジュールをさらに設置し、且つ前記発光モジュールの光線は照明部を透過して外に照射され、前記ランプユニットには前記発光モジュールに電気的に接続している充電ポート及びスイッチをさらに設置し、前記スイッチは前記発光モジュールの点滅動作を制御し、前記充電ポートは充電ケーブルに電気的に接続し、且つ前記充電ケーブルは商用電源に電気的に挿入接続していると共に電力を前記発光モジュールに充電するために伝送していることを特徴とする請求項１に記載の帽子に掛けるキャップライト装置。
【請求項７】
前記発光モジュールは回路基板及びプッシュボタンをさらに含み、前記スイッチ及び前記充電ポートは前記回路基板に電気的に接続し、前記プッシュボタンは前記ランプユニットの表面に設置していると共に前記スイッチに対応するようにソケットを設け、前記スイッチは一部が前記ソケット内に挿設し、前記プッシュボタンの押圧は前記スイッチを操作するように間接的に制御していることを特徴とする請求項１に記載の帽子に掛けるキャップライト装置。
【考案の詳細な説明】
【技術分野】
【０００１】
本考案は、キャップライト装置に関し、特に照明分野に応用する技術を指し、主に帽子のバイザーに掛けると共に照明を提供する。
【背景技術】
【０００２】
夜間の運動は気温が涼しくて快適であるが、多くの短所も存在する。天気が悪いと視界が悪くなることが最大の問題であり、このため、運動する者の多くは照明用具を携帯し、照明用具により環境の安全性を判断するほか、他人が誰かが運動していることを分かるようにすることでぶつからずに避けられるようにしている。現在市場には夜間運動用照明設備が溢れており、下述する帽子に取り付けるキャップライト（例えば、特許文献１、特許文献２参照）は主に現在よくある照明機能を有している帽子であり、大多数の帽子は照明を提供するために、照明装置を固定してバイザーの前端箇所または端縁箇所に隠れるように設置し、最良の照明を提供している。
【先行技術文献】
【特許文献】
【０００３】
【特許文献１】台湾登録実用新案第４９７９３５号公報
【特許文献２】台湾登録実用新案第４１５５８２号公報
【考案の概要】
【考案が解決しようとする課題】
【０００４】
しかしながら、前述した従来の技術では、利便性の問題が無視されがちであった。着用者が帽子を着用する際には自身の服装に合わせた帽子を選ぶが、全ての帽子が照明装置に適合するわけでも取り付け可能であるわけでもない。また、全ての帽子は頭囲の違いに合わせて設計されており、よって全ての帽子のバイザー幅及び弧度も異なっている。運動する者にとって上述の２つの問題は解決せねばならない問題であり、このため、関連業者ではどのように改善して上述の多くの問題を解決すべきかを思案している。
【０００５】
本考案は前記技術的課題に鑑みて開発されたものであり、帽子に掛けるキャップライト装置を提供することを目的とする。すなわち、運動する者が夜間に運動する際に、着用した帽子に適切な照明を提供し、運動時の安全性を確保し、且つ異なるバイザー幅に合わせて適合する長さに調整することで、各種の帽子に適合させ、従来技術に関して列挙した問題を改善する。
【課題を解決するための手段】
【０００６】
上記目的を達成するための主たる考案は、帽子のバイザーの後縁箇所に装設し、
照明部及び前記照明部の両側にそれぞれ位置しているアームを含み、各アームには少なくとも１つのスロットをそれぞれ設けているランプユニットと、
各アームに設置する複数のアタッチメントであって、各アタッチメントはさらにスライド及びクリップ部材をそれぞれ含み、各スライドの側は各アームの前記少なくとも１つのスロット内にスライド可能に取り付け、各クリップ部材は各スライドの他側に枢設し、各クリップ部材は照明部に対応している一端に挟持溝をそれぞれ欠設し、且つ各挟持溝の両端はそれぞれ開放式の開口部とし、各開口部は前記挟持溝の溝口部と連通し、各クリップ部材の各挟持溝は前記帽子のバイザーの後縁箇所の両側に挟装していることと、を主に備え、
各スライドが各スロット内でスライドすることで、各クリップ部材の位置をバイザーの幅に適合するように調整し、且つ各クリップ部材を各スライドに対して枢設することで、各クリップ部材の挟持溝方向を各バイザーの弧度に適合するように調整していることを特徴とする帽子に掛けるキャップライト装置である。
【考案の効果】
【０００７】
本考案によれば、次のような効果がある。
運動する者がランプユニットを有している帽子を着用する際に、異なる幅のバイザーに合わせて各スライドを動かすことで各クリップ部材を移動するように連動させ、異なる幅のバイザーに合わせて狭着する。また、バイザーに狭着する位置を調整し、各クリップ部材を各スライドに対して枢動することで挟持溝の方向を調整することにより、バイザーの弧度に適合させて狭着する。多くの帽子に適合させて使用可能になり、大衆の需要を満たす。本考案は高い実用性及び進歩性を有する考案であり、産業界が推進し、社会に広く普及する価値がある。
【０００８】
本明細書及び図面の記載により、少なくとも、以下の事項が明らかとなる。
【図面の簡単な説明】
【０００９】
【図１】本考案の第１実施形態による帽子に掛けるキャップライト装置を模式的に示した斜視図である。
【図２】本考案の第１実施形態による帽子に掛けるキャップライト装置の部分を模式的に示した分解図である。
【図２Ａ】本考案のクリップ部材を他の角度から見た傾斜概略図である。
【図２Ｂ】本考案のスライドを他の角度から見た平面概略図である。
【図３】図１のIII−III線に沿う断面概略図である。
【図３Ａ】図３を押下した発光動作の概略図である。
【図４】本考案の第１実施形態によるスライドをスライドさせる斜視概略図である。
【図４Ａ】図４を他の角度から見た傾斜概略図である。
【図５】図１のV−V線に沿う断面概略図である。
【図６】本考案のクリップ部材を旋回する傾斜概略図である。
【図６Ａ】図６を他の角度から見た傾斜概略図である。
【図７】本考案の第１実施形態による帽子に掛ける使用状態を示した概略図である。
【図７Ａ】図７のクリップ部材がバイザーに挟装する部分の拡大概略図である。
【図８】本考案の第１実施形態による充電を示した傾斜概略図である。
【図９】本考案の第２実施形態による帽子に掛けるキャップライト装置を模式的に示した斜視図である。
【考案を実施するための形態】
【００１０】
以下に、本考案に係る帽子に掛けるキャップライト装置の実施の形態を図面に基づいて詳細に説明する。なお、各実施の形態によりこの考案が限定されるものではない。
【００１１】
以下、本考案の実施形態について、図１乃至図７Ａを参照しながら説明する。本考案の帽子に掛けるキャップライト装置は帽子１０のバイザー１０１の後縁箇所に装設し、弧状体を呈するバイザー１０１に適合し、照明部１１及び前記照明部１１の両側にそれぞれ位置しているアーム１２を含み、各アーム１２には少なくとも１つのスロット１３をそれぞれ設け、バイザー１０１に掛ける位置はバイザー１０１の前端が垂れ下がって運動する者の視界に影響することがないためバイザー１０１の後縁に近接するのが最も好ましく、但し、本考案の掛ける位置はこれに限られないランプユニット１と、各アーム１２に設置する複数のアタッチメント２であって、各アタッチメント２はさらに片状体を呈するスライド２１及びクリップ部材２２をそれぞれ含み、各スライド２１の一側は各アーム１２の前記少なくとも１つのスロット１３内にスライド可能に取り付け、各クリップ部材２２は各スライド２１の他側に枢設し、各クリップ部材２２の照明部１１に対応する一端には挟持溝２２１をそれぞれ欠設し、各挟持溝２２１の欠設方向は相互に対応する一端から反対端に向けて水平に欠設し、且つ各挟持溝２２１の両端はそれぞれ開放式の開口部２２２とし、各開口部２２２は前記挟持溝２２１の溝口部に連通し、各クリップ部材２２の各挟持溝２２１は前記帽子１０のバイザー１０１の後縁箇所の両側に挟装していることと、を主に備えている。各スライド２１を各スロット１３内でスライドさせることで、各クリップ部材２２の位置をバイザー１０１の幅に適合するように調整し、且つ各クリップ部材２２を各スライド２１に対して枢設することで、各クリップ部材２２の挟持溝２２１の方向を調整し、各バイザー１０１の弧度に適合させている。
【００１２】
上述したように、運動する者は着用帽子１０の前に、各クリップ部材２２の挟持溝２２１をバイザー１０１の辺縁に狭着するが、その前にまずバイザー１０１の適合度と比較すると共に各スライド２１を引いて各クリップ部材２２の位置を調整し、各クリップ部材２２の挟持溝２２１の溝口部の方向を枢動し、各クリップ部材２２の挟持溝２２１の溝口部をバイザー１０１の辺縁に位置を揃えるようにする。位置を揃えた後、各スライド２１を照明部１１の方向にスライドさせ、バイザー１０１の辺縁を各クリップ部材２２の挟持溝２２１内に挿入する。こうして帽子１０への前記ランプユニット１の取り付けを完了する。続いて、前記照明部１１の照明を起動すれば夜間の運動を行えるようになり、照明部１１の照明により周囲の環境を見渡せるようになり、夜間に運動を行う場合の安全性を確保する。
【００１３】
以下、本考案の他の細部の特徴について説明する。まず、各スライド２１をスロット１３内に収容するようにスライドさせても偏移しないようにするため、各スロット１３の溝底部にはさらにガイドスロット１３１をそれぞれ凹設し、各スライド２１の底面には各ガイドスロット１３１に対応するようにレール２１１を凸設する。各スロット１３はさらに第一開口部１３２及び第二開口部１３３をそれぞれ含み、各第一開口部１３２及び各第二開口部１３３は全て対応するスロット１３内に連通している。各第一開口部１３２は各アーム１２の上面及び底面の何れか一面または二面に位置し、各第二開口部１３３は各アーム１２の端面に設けていると共に対応する第一開口部１３２に連通している。前記第二開口部１３３の方向から前記スロット１３及び前記ガイドスロット１３１がＴ字形を呈していることを観察でき、よって、各スライド２１を照明部１１の方向に向けてスロット１３内に収容するようにスライドさせ、且つ各レール２１１を各ガイドスロット１３１に位置を揃えるようにスライドすることで各スライド２１の収容を制限している。また、前述の説明のように、各第一開口部１３２の設置位置は、図７と図９に示されるように、本考案は多元的な掛け方を提供し、運動する者の習慣及び好みに合わせるため、本考案に係る前記ランプユニット１は前記バイザー１０１の上面（図７参照）または底面（図９参照）に取り付け、各アタッチメント２の設置は前記ランプユニット１を取り付ける位置に基づいて位置及び方向を調整すればよい。よって、各第一開口部１３２の設置位置は各アーム１２の上面または底面のうちの一面でもよく、各アーム１２の上面及び底面の両面に前記第一開口部１３２を開設してもよい（図示省略）。
【００１４】
また、前述の説明のように、各クリップ部材２２を各スライド２１に対して枢動することで各挟持溝２２１の溝口部の方向を調整し、図２Ａ、図４、図４Ａ、図６、図６Ａを参照すれば、主な構造は各スライド２１が各第一開口部１３２に対応する一側でさらに貫通孔２１２をそれぞれ貫通し、且つ各貫通孔２１２の孔内にはスペーサー２１３を設置し、各スペーサー２１３は各貫通孔２１２の孔内壁と共に複数の凹部２１４を形成している（各図中では２つの凹部２１４を形成するものを主な実施例として説明する）。各凹部２１４は間隔を空けて設け、各凹部２１４の両端はそれぞれ端面２１５である。各クリップ部材２２には各凹部２１４に対応するように同じ数量の複数のリブ２２３を凸設し、各リブ２２３は各凹部２１４内にスライド可能に設置し、複数のネジ３により各スペーサー２１３に貫設していると共に各クリップ部材２２にロックしている。これにより、各クリップ部材２２を各スライド２１に対して枢動することで、各リブ２２３の両端のうちの一端を対応する位置にある端面２１５に突き当て、各クリップ部材２２の枢動範囲をバイザー１０１の弧度に適合するように調整している。また、各凹部２１４の各端面２１５と各リブ２２３とを適合させることで各クリップ部材２２の枢動を制限し、各クリップ部材２２が枢動しすぎて挟持に影響を及ぼさないようにしている。
【００１５】
続いて、図２、図７と図７Ａに示されるように、運動する者が運動中に前記ランプユニット１がバイザー１０１から脱落するのを防止するため、各挟持溝２２１の両端の開口部２２２の内壁面にさらに少なくとも１つの歯状部材２２４をそれぞれ凸設し、各クリップ部材２２がさらに底板２２５及び弾性挟持部材２２６をそれぞれ備えている。前記弾性挟持部材２２６の両端は弧状方式で前記底板２２５に連接し、前記弾性挟持部材２２６と底板２２５との間には前記挟持溝２２１及び開放式の各開口部２２２を形成している。このため、運動する者は各弾性挟持部材２２６に軽く力を付勢して動かすのみで、各弾性挟持部材２２６がやや変形した後、バイザー１０１が各挟持溝２２１に挿入し、各弾性挟持部材２２６に対して付勢した力が解放され、各挟持溝２２１内の少なくとも１つの歯状部材２２４が前記バイザー１０１の表面と互いに接触して摩擦する。各弾性挟持部材２２６及び各底板２２５の挟持並びに各挟持溝２２１内の少なくとも１つの歯状部材２２４の設置により、バイザーが脱離しないように制限され、これにより運動する者が前記ランプユニット１の脱落を心配しなくともよくなり、安心して運動を行えるようになる。
【００１６】
最後に、本考案の照明部１１の設置について、前記照明部１１内に収容室１１１を形成し、発光モジュール４を収容室１１１に内設し、且つ前記発光モジュール４の光線は照明部１１を透過して外に照射する。また、前記発光モジュール４は複数のライト４１を有し、各ライト４１は光線を発光して前記照明部１１を透過させる。前記ランプユニット１には前記発光モジュール４に電気的に接続している充電ポート５及びスイッチ６をさらに設置し、前記スイッチ６の位置は前記照明部１１の底面に設置し、運動する者は前記スイッチ６を制御することで前記発光モジュール４の点滅動作のオンとオフを調整可能である。前記充電ポート５は充電ケーブル７に電気的に接続し、且つ前記充電ケーブル７は商用電源に電気的に挿入接続していると共に電力を前記発光モジュール４に充電するために伝送している。前記充電ポート５の位置は前記発光モジュール４の光線が透過する方向とは反対であり、運動する者は発光モジュール４の光線が不足している場合に充電を行えるようになり、前記充電ケーブル７を前記充電ポート５に挿入すると、前記発光モジュール４が商用電源に電気的に導通し、商用電源を発光モジュール４に充電するために使用可能になる（図３、図８参照）。また、前記発光モジュール４は回路基板４２及びプッシュボタン４３をさらに備え、図３と図３Ａに示されるように、前記スイッチ６及び前記充電ポート５は前記回路基板４２に電気的に接続し、前記プッシュボタン４３は前記ランプユニット１の外面に設置していると共に前記スイッチ６に対応するようにソケット４３１を設け、前記スイッチ６は一部を前記ソケット４３１内に挿設している。前記プッシュボタン４３の押圧は前記スイッチ６を操作するように間接的に制御し、運動する者が前記プッシュボタン４３を押した後、前記スイッチ６の前記発光モジュール４に対するオンとオフの操作を間接的に制御する。
【００１７】
以上を総合すると、各スライド２１及び各スロット１３をスライド可能に設置し、各クリップ部材２２を各スライド２１に対して枢動するように設置することで、運動する者が異なる帽子１０に掛ける場合、各スライド２１のスライドの長さを調整するのみで各クリップ部材２２を移動するように連動させ、各クリップ部材２２を各スライド２１に対して枢動することで各挟持溝２２１の溝口部の方向を調整した後、本考案を前記バイザー１０１の辺縁の任意の位置に掛けられるようになり、但し、本考案をバイザー１０１の後縁に掛けるのが最も好ましい使用状態である。このほか、運動する者は自身の習慣や環境に合わせて本考案をバイザー１０１の底面箇所または上面箇所のどちらに設置するか調整し、これにより環境の変化に適合するように照明の方角を改変する。よって、本考案は運動する者の異なるバイザー１０１の幅及び弧度に適合して使用できるほか、取り付けて使用することが便利で覚えやすくなり、運動する者が夜間に運動する際に好ましい安全性を提供し、他人に見えるようにして注意を促す効果も達成する。従来技術と比べ、本考案は従来の問題を確実に改善し、大衆の使用にさらに適合させ、本考案は極めて好ましい進歩性及び実用性を有している。
【００１８】
なお、本考案は前述した実施の形態のみに限定されるものではなく、本考案の要旨を逸脱しない範囲において種々の変更が可能であることは勿論である。
【符号の説明】
【００１９】
１０  帽子
１０１  バイザー
１  ランプユニット
１１  照明部
１１１  収容室
１２  アーム
１３  スロット
１３１  ガイドスロット
１３２  第一開口部
１３３  第二開口部
２  アタッチメント
２１  スライド
２１１  レール
２１２  貫通孔
２１３  スペーサー
２１４  凹部
２１５  端面
２２  クリップ部材
２２１  挟持溝
２２２  開口部
２２３  リブ
２２４  歯状部材
２２５  底板
２２６  弾性挟持部材
３  ネジ
４  発光モジュール
４１  ライト
４２  回路基板
４３  プッシュボタン
４３１  ソケット
５  充電ポート
６  スイッチ
７  充電ケーブル
【図１】
0003232868.tif 000003
【図２】
0003232868.tif 000004
【図２Ａ】
0003232868.tif 000005
【図２Ｂ】
0003232868.tif 000006
【図３】
0003232868.tif 000007
【図３Ａ】
0003232868.tif 000008
【図４】
0003232868.tif 000009
【図４Ａ】
0003232868.tif 000010
【図５】
0003232868.tif 000011
【図６】
0003232868.tif 000012
【図６Ａ】
0003232868.tif 000013
【図７】
0003232868.tif 000014
【図７Ａ】
0003232868.tif 000015
【図８】
0003232868.tif 000016
【図９】
0003232868.tif 000017
【手続補正書】
【提出日】令和3年5月7日(2021.5.7)
【手続補正１】
【補正対象書類名】実用新案登録請求の範囲
【補正対象項目名】全文
【補正方法】変更
【補正の内容】
【実用新案登録請求の範囲】
【請求項１】
帽子のバイザーの後縁箇所に装設している帽子に掛けるキャップライト装置であって、
照明部及び前記照明部の両側にそれぞれ位置しているアームを含み、各アームには少なくとも１つのスロットをそれぞれ設けているランプユニットと、
各アームに設置する複数のアタッチメントであって、各アタッチメントはさらにスライド及びクリップ部材をそれぞれ含み、各スライドの一側は各アームの前記少なくとも１つのスロット内にスライド可能に取り付け、各クリップ部材は各スライドの他側に枢設し、各クリップ部材は照明部に対応している一端に挟持溝をそれぞれ欠設し、且つ各挟持溝の両端はそれぞれ開放式の開口部とし、各開口部は前記挟持溝の溝口部と連通し、各クリップ部材の各挟持溝は前記帽子のバイザーの後縁箇所の両側に挟装しているアタッチメントと、を主に備え、
各スライドが各スロット内でスライドすることで、各クリップ部材の位置をバイザーの幅に適合するように調整し、且つ各クリップ部材を各スライドに対して枢設することで、各クリップ部材の挟持溝方向を各バイザーの弧度に適合するように調整していることを特徴とする帽子に掛けるキャップライト装置。
【請求項２】
各スロットの溝底部にはさらにガイドスロットをそれぞれ凹設し、各スライドの底面は各ガイドスロットに対応するようにレールを凸設し、各スライドは照明部の方向に向けてスライドしてスロット内に収容するように戻り、且つ各レールは各ガイドスロットに位置を揃えてスライドすることで各スライドの収容を制限していることを特徴とする請求項１に記載の帽子に掛けるキャップライト装置。
【請求項３】
各スロットはさらに第一開口部及び第二開口部をそれぞれ含み、各第一開口部及び各第二開口部は全て対応するスロット内に連通し、各第一開口部は各アームの上面及び底面の何れか一面または二面に位置し、各第二開口部は各アームの端面に設けていると共に対応する第一開口部に連通していることを特徴とする請求項１に記載の帽子に掛けるキャップライト装置。
【請求項４】
各スライドは各第一開口部に対応する一側に複数の凹部をさらに設け、且つ各凹部は間隔を空けて設け、各凹部の両端はそれぞれ端面であり、各クリップ部材は各凹部に対応するように同じ数量の複数のリブを凸設し、各リブは各凹部内にスライド可能に設け、且つ各クリップ部材は各スライドに対して枢動すると共に各リブの両端が回転することにより各端面に突き当てられ、これにより各クリップ部材の枢動範囲を制限していることを特徴とする請求項１に記載の帽子に掛けるキャップライト装置。
【請求項５】
各挟持溝の両端にある開口部の内壁面にはさらに少なくとも１つの歯状部材をそれぞれ凸設し、バイザーが各挟持溝に挿入した後に各挟持溝の少なくとも１つの歯状部材が前記バイザーの表面と互いに摩擦するように接触し、且つ、各挟持溝内の少なくとも１つの歯状部材がバイザーの脱離を制限していることを特徴とする請求項１に記載の帽子に掛けるキャップライト装置。
【請求項６】
前記照明部内には収容室をさらに有し、収容室に内設している発光モジュールをさらに設置し、且つ前記発光モジュールの光線は照明部を透過して外に照射され、前記ランプユニットには前記発光モジュールに電気的に接続している充電ポート及びスイッチをさらに設置し、前記スイッチは前記発光モジュールの点滅動作を制御し、前記充電ポートは充電ケーブルに電気的に接続し、且つ前記充電ケーブルは商用電源に電気的に挿入接続していると共に電力を前記発光モジュールに充電するために伝送していることを特徴とする請求項１に記載の帽子に掛けるキャップライト装置。
【請求項７】
前記発光モジュールは回路基板及びプッシュボタンをさらに含み、前記スイッチ及び前記充電ポートは前記回路基板に電気的に接続し、前記プッシュボタンは前記ランプユニットの表面に設置していると共に前記スイッチに対応するようにソケットを設け、前記スイッチは一部が前記ソケット内に挿設し、前記プッシュボタンの押圧は前記スイッチを操作するように間接的に制御していることを特徴とする請求項６に記載の帽子に掛けるキャップライト装置。